(57)【要約】  本発明は、負荷時タップ切換変圧器の２つの巻線タップ（ｔａｐ  ｎ、ｔａｐ  ｎ＋１）間で無瞬断切換を行うための負荷時タップ切換器であって、２つの巻線タップがそれぞれ、各１つの機械的なスイッチ（Ｄｓ）と、それに直列に配置された１つの直列接続部とを介して、共通の負荷放電部に接続され、この直列接続部が、２つの逆向きに接続されたＩＧＢＴ（Ｉｐ、Ｉｎ）からなる負荷時タップ切換器に関する。本発明によれば、各ＩＧＢＴが、それに並列に接続された、特別に寸法設計された各１つのバリスタ（Ｖｐ、Ｖｎ）によって橋絡される。
2012501069.tif 000002
【特許請求の範囲】
【請求項１】
タップ変換変圧器の巻線タップ間で無瞬断切換を行うための半導体スイッチ素子を備える負荷時タップ切換器であって、
前記負荷時タップ切換器が、各巻線タップと接続可能な２つの負荷分岐部を有し、
前記半導体スイッチ素子が、ＩＧＢＴ（Ｉａｎ、Ｉａｐ；Ｉｂｎ、Ｉｂｐ）であり、
前記２つの負荷分岐部がそれぞれ、２つの逆向きに接続されたＩＧＢＴ（Ｉａｎ、Ｉａｐ；Ｉｂｎ、Ｉｂｐ）からなる配置された直列接続部を介して、１つの共通の負荷放電部と電気的に接続され、
各ＩＧＢＴ（Ｉａｎ、Ｉａｐ；Ｉｂｎ、Ｉｂｐ）に並列に１つのダイオード（ｄａｎ、ｄａｐ；ｄｂｎ、ｄｂｐ）が接続され、各負荷分岐部での２つのダイオード（ｄａｎ、ｄａｐまたはｄｂｎ、ｄｂｐ）が互いに逆向きに接続される負荷時タップ切換器であって、
各負荷分岐部において、各１つの機械的なスイッチ（ＤＳａ、ＤＳｂ）が、ＩＧＢＴ（Ｉａｎ、Ｉａｐ；Ｉｂｎ、Ｉｂｐ）と並列のダイオード（ｄａｎ、ｄａｐ；ｄｂｎ、ｄｂｐ）とからなる直列接続に直列に接続されること、
ＩＧＢＴ（Ｉａｎ、Ｉａｐ；Ｉｂｎ、Ｉｂｐ）と並列のダイオード（ｄａｎ、ｄａｐ；ｄｂｎ、ｄｂｐ）とからなる各並列接続に並列に各１つのバリスタ（Ｖａｎ、Ｖａｐ；Ｖｂｎ、Ｖｂｐ）が接続されること、および
前記バリスタ（Ｖａｎ、Ｖａｐ；Ｖｂｎ、ＶｂｐまたはＶａ、Ｖｂ）が、そのバリスタ電圧が、それぞれ並列のＩＧＢＴの最大ブロック電圧よりも低く、しかしステップ電圧の最大瞬時値よりも大きくなるように寸法設計されることを特徴とする負荷時タップ切換器。
【請求項２】
各ＩＧＢＴ（Ｉａｎ、Ｉａｐ；Ｉｂｎ、Ｉｂｐ）が、各ＩＧＢＴ（Ｉａｎ、Ｉａｐ；Ｉｂｎ、Ｉｂｐ）に並列に接続されたバリスタ（Ｖａｎ、Ｖａｐ；Ｖｂｎ、Ｖｂｐ）およびダイオード（ｄａｎ、ｄａｐ；ｄｂｎ、ｄｂｐ）と共に、積層として構造上統合されることを特徴とする請求項１に記載の負荷時タップ切換器。
【請求項３】
１つの負荷分岐部に提供される２つのバリスタ（Ｖａｎ、ＶａｐまたはＶｂｎ、Ｖｂｐ）が、それぞれただ１つのバリスタ（Ｖａ、Ｖｂ）にまとめられることを特徴とする請求項１に記載の負荷時タップ切換器。
【請求項４】
２つの負荷分岐部それぞれに並列に各１つの機械的な主固定接点（ＭＣａ、ＭＣｂ）が提供されることを特徴とする請求項１〜３のいずれか一項に記載の負荷時タップ切換器。
【発明の詳細な説明】
【技術分野】
【０００１】
本発明は、負荷時タップ切換変圧器の巻線タップ間で無瞬断切換を行うための半導体スイッチ素子を備える負荷時タップ切換器に関する。
【背景技術】
【０００２】
ハイブリッドＩＧＢＴスイッチとして構成される半導体スイッチ素子を備える負荷時タップ切換器が、特許文献１から知られている。その文献に記載される負荷時タップ切換器は、エネルギー蓄積器を必要とすることなく可動負荷スイッチの原理に従って動作する。この負荷時タップ切換器は、ハイブリッドスイッチとして、機械的な部分と電気的な部分とを有する。
【０００３】
特許文献１の実際の対象である機械的な部分は、機械的なスイッチ接点を有する。中核部分は、可動の摺動接点であり、これは、モータ駆動によって、中性点と接続された接点レールに沿って移動され、その際、固定の接点要素を切り換える。実際の負荷切換自体は、ブリッジ整流器内の各４つのダイオードを備える２つのＩＧＢＴによって行われる。
【０００４】
ハイブリッドスイッチのこの既知の概念は、厳密に負荷電流のゼロ交差の時点で所要の負荷切換を保証するためには、機械的に複雑であり要求が高いものである。
【０００５】
特許文献２から、さらなるＩＧＢＴスイッチ装置が知られており、その装置では、電力変圧器の制御巻線のタップが、２つのＩＧＢＴの直列接続部を介して、共通の負荷放電部に接続される。
【０００６】
この既知のスイッチ装置は、パルス幅変調の原理に従って動作する。すなわち、その際、このスイッチ装置は、ステップ巻線の過渡無効リアクタンス（ＴＥＲ）によって回路電流の制限を行う。
【０００７】
この既知の回路構成および根底にある切換原理では、切り換えるべきそれぞれの負荷時タップ切換変圧器に負荷時タップ切換器が特別に適合していることが必要である。言い換えると、負荷時タップ切換変圧器と負荷時タップ切換器は互いに適合され、電気的に相互作用する。したがって、この既知のスイッチ装置は、個別の汎用性のある装置として製造することができない。
【０００８】
最後に、特許文献３から、負荷時タップ切換器用の様々な回路構成が知られており、これらは、様々な形で接続されたバリスタを含む。一実施形態では、バリスタは、各スイッチ素子に並列に接続され、電圧の分散に役立つ。
【先行技術文献】
【特許文献】
【０００９】
【特許文献１】国際公開第０１／２２４４７号パンフレット
【特許文献２】国際公開第９７／０５５３６号パンフレット
【特許文献３】英国特許出願公開第２４２４７６６号明細書
【特許文献４】独国特許出願公開第１０１１８７４３Ａ１号明細書
【発明の概要】
【発明が解決しようとする課題】
【００１０】
本発明の目的は、冒頭で挙げた種類の負荷時タップ切換器であって、簡単に構成され、高い機能安全性を有し、厳密に負荷電流のゼロ交差の時点で切り換えることを必要としない負荷時タップ切換器を提供することである。さらに、本発明の目的は、切り換えるべき負荷時タップ切換変圧器のそれぞれの定格負荷電流およびそれぞれの巻線に特別に適合させる必要がなく、いわば「既製」で、様々な負荷時タップ切換変圧器で機能し得る装置として接続することができるかかる負荷時タップ切換器を提供することである。
【課題を解決するための手段】
【００１１】
この目的は、請求項１の特徴をもつ負荷時タップ切換器によって解決される。従属請求項は、本発明の特に有利な改良形態に関する。
【００１２】
本発明は、各スイッチユニットがそれぞれ対を成す２つの逆並列のＩＧＢＴからなる、２つのスイッチユニットを基礎とする。各ＩＧＢＴそれぞれに、それに並列に接続されたバリスタが対応付けられる。その際、バリスタは、バリスタ電圧が、それぞれ並列のＩＧＢＴの最大ブロック電圧よりも低く、しかしステップ電圧の最大瞬時値よりも高くなるように寸法設計される。
【００１３】
逆並列のスイッチユニットの対を成す２つのＩＧＢＴが、密な積層の形態で一体化されていることが特に有利である。
【００１４】
さらに、できるだけインダクタンスの低い並列区間という意味で、各バリスタを各ＩＧＢＴのすぐ傍に位置決めし、積層内に組み込むことが特に有利である。このようにして、ＩＧＢＴと並列に位置するバリスタとの間の非常に短い導線接続を実現することができる。この構成は、それ自体ｎｓ範囲内の非常に小さい応答遅延しか有さない、接続された非常に低いインダクタンスのバリスタへの０．１〜１μｓ以内の転流によって、負荷電流の最大瞬時値においても、ＩＧＢＴを通って流れる負荷電流を非常に迅速に「確実に」オフに切り換えることができる。
【００１５】
ＩＧＢＴを「確実に切り換える」ことで、ＩＧＢＴ内で変換されて生じるオフ切換損失エネルギーが顕著に減少し、ここで初めて、（以下により詳細に述べるように）瞬時負荷電流の任意の値における負荷時タップ切換器（ＯＬＴＣ）切換という本発明の切換の概念が可能になり、その際、ＯＬＴＣでの追加の過渡インピーダンスが生じず、スイッチ巻線の迷走リアクタンスを認識する必要がなく、各場合の定格負荷電流またはステップ電圧にＯＬＴＣを適合させる必要がなく、かつオフに切り換わるＩＧＢＴスイッチ群と受電側のＩＧＢＴスイッチ群とをμｓレベルで正確に時間的に同調する必要がない。
【００１６】
特許文献４および多くの他の公開文書から、ＩＧＢＴと接続されたバリスタが既に知られている。しかし、従来技術では、それらのバリスタは、過電圧から半導体を保護するためにのみ役立ち、すなわち電圧制限機能しか有さない。
【００１７】
それに対して本発明では、各ＩＧＢＴに並列に配置されたバリスタの機能は別のものである。すなわち、電源電圧によって発生された印加負荷電流が、オフに切り換えられるＩＧＢＴから並列に位置するバリスタに転流された（小さい転流回路）後、負荷電流が流れるバリスタは、そのＩ−Ｕ特性曲線に対応して電圧を生成し、この電圧は、電流の瞬時値への依存が比較的小さく、ＯＬＴＣの切換プロセス中に実質的に一定である。
【００１８】
ここで、バリスタは、最大電流のピーク値がかかるときに生じるバリスタ電圧が、ＩＧＢＴの最大逆電圧に対してまだ十分な安全マージンをもつように特に有利に寸法設計される。
【００１９】
他方で、オフに切り換えられるＯＬＴＣ側から、ステップ電圧を介して、負荷電流を受け取る側に負荷電流が転流できる（大きい方の転流回路）ように、バリスタのクランプ電圧（１ｍＡでのＵｖａｒ）は、最大ステップ電圧のピーク値よりも明らかに高くなければならない。
【００２０】
バリスタでの電圧降下の瞬時値とステップ電圧の瞬時値との差ΔＵにより、バリスタの特別な寸法設計によって、ステップ巻線の漏れインダクタンスおよびパワーインダクタンスを介して負荷時タップ切換器の受電側へ負荷電流が転流し、差ΔＵが転流プロセスのｄｉ／ｄｔを決定する（ｄｉ／ｄｔ＝ΔＵ／ＬＫｏｍ）。
【００２１】
これは、本発明の範囲内でのバリスタが、従来技術で知られているように過渡過電圧の低減には使用されないことを示している。本発明では、バリスタは、バリスタの分野では典型的でなく、従来技術では提案されていない以下の機能を担う。
【００２２】
・確実にオフに切り換わるＩＧＢＴからの負荷電流の受取り。
【００２３】
・負荷電流の瞬時値に依存せずに、ＩＧＢＴの最大逆電圧と最大ステップ電圧のピーク値との間の電圧域内になければならない電圧降下の発生。
【００２４】
・負荷時タップ切換器の送電側から、逆向きのステップ電圧を介して、負荷時タップ切換器の受電側に負荷電流を転流する電圧時間領域の提供。
【００２５】
・本発明により、パワーエレクトロニクススイッチ群の非常に簡単で安価な寸法設計がなされる。なぜなら、かなり小さく、高価であり、容量の面での変更がわずかしかできないＩＧＢＴチップの容量に比べて、バリスタを用いた場合のエネルギー容量は適宜変更可能であり、相当大きいからである。
【００２６】
・バリスタによって負荷電流を導くこと、バリスタによって所要の転流電圧時間領域を提供すること、および同様にバリスタによって、その際に生じる損失エネルギーを受け取ることのさらなる好ましい効果として、オフに切り換わるＩＧＢＴ群のオフ切換時点と受電側ＩＧＢＴ群のオン切換時点の同期に関して、非常に広い許容範囲が得られる。以下の切換モードが可能であり許容される。
【００２７】
稼動年数と共に、構成部品の老化および制御エレクトロニクスの動作点のずれにより、重畳または間断切換挙動が約±１０μｓのオーダーで調節される場合でも、本発明によるスイッチ概念ではそれにより機能故障が生じない。
【００２８】
要約すると、本発明は、以下の利点を有する。
【００２９】
・ＩＧＢＴの熱的過負荷を伴わずに負荷電流の任意の瞬時値において切換を行えるオプション。
【００３０】
・負荷時タップ切換器のＡ側→Ｂ側またはＢ側→Ａ側の非常に迅速な負荷電流転流プロセス（約１０μｓ以内）。
【００３１】
・外乱振動の回避。
【００３２】
・ステップ電圧および定格通過電流の限界値を超えていない限り、各負荷時タップ切換器を、命令された場合（Ｂｅｓｔｅｌｌｆａｌｌｓ）の具体的な定格ステップデータ（ステップ電圧、定格通過電流、漏れインダクタンス）に特注で適合させることは不要である。
【００３３】
・２つのＩＧＢＴスイッチ群のスイッチ時間のずれに関して非常に広い許容範囲を有するロバストで本質的に安全な転流コンセプト。比較的長時間の動作後も再調整が不要である。
【００３４】
以下、本発明を、図面に基づいて例としてより詳細に説明する。
【図面の簡単な説明】
【００３５】
【図１】本発明による第１のタップ変換器の回路を示す図である。
【図２】本発明の範囲内で変形された第２の負荷時タップ切換器の回路を示す図である。
【発明を実施するための形態】
【００３６】
図１に示されるように、２つの巻線タップｔａｐ  ｎおよびｔａｐ  ｎ＋１がそれぞれ、１つの機械的なスイッチＤＳａまたはＤＳｂと直列接続部とを介して、負荷時タップ切換器放電部に接続され、直列接続部はそれぞれ、２つのｎ側の逆向きに接続されたＩＧＢＴ  ＩａｎとＩａｐおよびｎ＋１側のＩＧＢＴ  ＩｂｎとＩｂｐからなる。直列に接続された一方の側のＩＧＢＴ  ＩａｎとＩａｐおよび他方の側のＩＧＢＴ  ＩｂｎとＩｂｐの２つにそれぞれに並列に、各１つのダイオードｄａｎ、ｄａｐまたはｄｂｎ、ｄｂｐが接続される。その際、各側のダイオード、すなわちｄａｎとｄａｐまたはｄｂｎとｄｂｐは、互いに逆向きに、すなわち導通方向を互いに逆向きにして接続される。
【００３７】
さらに、ＩＧＢＴとダイオードのこれらの各並列接続に並列に各１つのバリスタＶａｎ、ＶａｐまたはＶｂｎ、Ｖｂｐが設けられる。
【００３８】
最後に、定常動作時にスイッチ機構全体をそれぞれ橋絡する各側にある主固定接点ＭＣａまたはＭＣｂも示される。両側のＩＧＢＴ  Ｉａｎ、Ｉａｐ；Ｉｂｎ、Ｉｂｐは、従来技術から知られている１つの共通のＩＧＢＴドライバ（概略的にのみ図示する）によって制御される。
【００３９】
以下、例えばｔａｐ  ｎからｔａｐ  ｎ＋１への切換シーケンスをより詳細に説明する。基本位置では、負荷電流は、ｔａｐ  ｎから主固定接点ＭＣａを介して負荷時タップ切換器放電部Ｙに流れる。
【００４０】
切換シーケンスの第１のステップとして、作動接点ＤＳａおよびＤＳｂが閉じられる。
【００４１】
次いで、ＩＧＢＴ  ＩａｎおよびＩａｐのゲートに開始電圧が印加される。ここで主固定接点ＭＣａが開かれ、負荷電流ＩＬをＩＧＢＴ群Ｉａｎ／Ｉａｐに転流させる。ＩＬがＩＧＢＴ群Ｉａｎ／Ｉａｐを流れ始めてから１０ｍｓ未満で、これらのＩＧＢＴがオフ切換命令を受け、それと同時にＩＧＢＴ群Ｉｂｎ／Ｉｂｐが（少なくとも通常は）オン切換命令を受ける。
【００４２】
オフに切り換わるＩＧＢＴで発生する電圧は、並列に位置しているバリスタに伝わる。数百ｎｓ後にバリスタのクランプ電圧に達すると、バリスタが導通し始め、それによりＩＧＢＴ  ＩａｎとＩａｐの負荷電流の受取りが行われる。
【００４３】
バリスタは、負荷電流が流れるバリスタの電圧が、一方では並列のＩＧＢＴの最大ブロック電圧未満であり、他方ではステップ電圧の最大瞬時値よりも高い電圧範囲で変動するように本発明により寸法設計される。
【００４４】
バリスタ電圧の瞬時値がステップ電圧の瞬時値を超えていると、Ａ側からほぼ一定のｄｉ／ｄｔで負荷電流が転流放出し、ステップ電圧およびステップ巻線Ｌσの漏れインダクタンスを介して同じｄｉ／ｄｔ（この場合は正）でＢ側に移り進む（大きい方の転流回路）。Ａ側でバリスタを通って流れる電流が連続的に減少するにも関わらず、バリスタ電圧は、１次近似では一定である。
【００４５】
約１０μｓ後、電流が流れているＡ側のバリスタから、導通しているＢ側のＩＧＢＴに負荷電流がすべて転流する。Ａ側の電流が値０に近づくことにより、スイッチ群Ａでの電圧は根本的に変わる。
【００４６】
バリスタ電圧が崩壊し、過渡的な
【数１】
2012501069.tif 000003
が消滅し、ＩＧＢＴ−バリスタ群Ａにステップ電圧が現れ、このステップ電圧は、並列に位置するダイオードとそれぞれまた並列に位置するバリスタのある一方の遮断するＩＧＢＴの極性に依存する。ステップ電圧のピーク値がかかった場合でさえ、バリスタは、有意な電流を通さない。
【００４７】
Ａ側からＢ側への負荷電流のパワーエレクトロニクス転流が始まって１０ｍｓ未満で、主固定接点ＭＣｂが閉じられ、ＩＧＢＴ群Ｂが分流される。次いで、ＩＧＢＴ  Ｉｂｎ／Ｉｂｐは、ゲート制御によって非導通状態に切り換えられる。
【００４８】
切換シーケンスは、機械的な作動接点ＤＳａおよびＤＳｂを開くことで終了し、これらの開いた接点が、ステップ巻線で有効となり得る過渡電圧要求からＩＧＢＴを保護する。
【００４９】
図２に、本発明による負荷時タップ切換器の変形回路が示されており、この回路では、各側の２つのバリスタＶａｎ、ＶａｐまたはＶｂｎ、Ｖｂｐが、それぞれ共通のバリスタＶａまたはＶｂにまとめられている。ここでも同様に、各側の各機械的なスイッチＤＳａまたはＤＳｂとそれに関連する側の各バリスタＶａまたはＶｂとが、共通の負荷放電部に通じる直列接続部を形成する。
【図１】
2012501069.tif 000004
【図２】
2012501069.tif 000005
【国際調査報告】
2012501069.tif 000006
2012501069.tif 000007
2012501069.tif 000008
2012501069.tif 000009